(57)【特許請求の範囲】
【請求項１】
水位の上昇につれて起立し起立時に建造物出入口を遮断して流入水の侵入を防ぐ回動起伏型のフロートゲートが床面に取付けられた建造物出入口の側壁面内部にフロート室を設け、側壁面の所定水位の高さにフロート室に連通する通水孔を形成し、通水孔からの流入水の水位の変動に追従して昇降するフロートをフロート室内に配し、フロートの昇降に連動し所定水位以下でフロートゲートを係止し所定水位以上で係止解除するロック装置を設けたことを特徴とする建造物出入口の流入水遮断用フローゲートのロック装置。
【請求項２】
建造物出入口の床面には倒伏時のフロートゲートを収容する凹所が形成され、凹所に収容された倒伏時のフロートゲートの表面は床面と同一高さになっている請求項１記載の建造物出入口の流入水遮断用フローゲートのロック装置。
【請求項３】
フロートゲートの材質はＦＲＰ材からなる請求項１又は請求項２記載の建造物出入口の流入水遮断用フローゲートのロック装置。
【発明の詳細な説明】
【０００１】
【発明の属する技術分野】
この発明は、洪水時或いは多量の雨水、排水の増加などにより、その水が低位置の建造物内、例えばビル地下室内、地下街、地下駐車場、地下鉄構内等に流れ込まないように、建造物出入口例えば地下に通じる階段上部に設置されて、流入しようとする水の浮力を利用してフロートゲートを起立させて建造物出入口を自動的に遮断する建造物出入口の流入水遮断用フローゲートのロック装置に関するものである。
【０００２】
【従来の技術】
道路面と同じ高さ或いは道路よりも高い位置に設けられる建造物の出入口も水位が高ければ水の流入が予想される。
道路面より低い位置に構築される建造物は、排水溝及び地下室内ポンプ装置により、雨水による流入水を排出している。
【０００３】
【発明が解決しようとする課題】
しかし、近年、雨量が気象の変化により一時的に多量に増加する傾向にあり、又、道路等の整備により、雨水が地中に吸収されずに排水溝に流れ、排水溝を流れる雨水の量が次第に増加して、少量の雨でも局地的に洪水をもたらしている。その多量の雨水が地下に構築されている建造物、例えば地下駐車場、地下飲食街、地下事務所などに流れ込む。また、道路より高い位置に出入口を有する例えば地下鉄出入口、一般建築物、住居なども、水位が高ければ出入口より内部に大量に水が流れ込む。
【０００４】
この発明は、上記のような課題に鑑み、その課題を解決すべく創案されたものであって、その目的とするところは、建造物出入口の床面に取付けた起伏型のフロートゲートを建造物内部に流入水時には起立させる一方で、流入のおそれのない少量の水位ではフロートゲートが起伏するのを防いで、建造物に出入りする者の往来を妨げることのない建造物出入口の流入水遮断用フローゲートのロック装置を提供することにある。
【０００６】
【課題を解決するための手段】
以上の目的を達成するために、請求項１の発明に係る建造物出入口の流入水遮断用フローゲートのロック装置は、水位の上昇につれて起立し起立時に建造物出入口を遮断して流入水の侵入を防ぐ回動起伏型のフロートゲートが床面に取付けられた建造物出入口の側壁面内部にフロート室を設け、側壁面の所定水位の高さにフロート室に連通する通水孔を形成し、通水孔からの流入水の水位の変動に追従して昇降するフロートをフロート室内に配し、フロートの昇降に連動し所定水位以下でフロートゲートを係止し所定水位以上で係止解除するロック装置を設けた手段よりなる。
【０００９】
ここで、建造物出入口の床面には倒伏時のフロートゲートを収容する凹所が形成され、凹所に収容された倒伏時のフロートゲートの表面は床面と同一高さになっていてもよい。また、フロートゲートの材質はＦＲＰ材からなるのがよい。
【００１０】
【発明の実施の形態】
以下、図面に記載の発明の実施の形態に基づいて、この発明をより具体的に説明する。
【００３３】
ここで、図１はフロートゲート起立時の概略側断面図、図２はフロートゲート倒伏時の概略側断面図、図３はフロートゲート倒伏時の概略平面図、図４はフロートゲート起立時の概略正面図、図５はフロート室の周辺の部分拡大平断面図、図６はフロート室の周辺の部分拡大正断面図、図７（Ａ）はロック装置の係止解除時の説明図、図７（Ｂ）はロック装置の係止時の説明図、図８は他例のフロートゲート起立時の概略側断面図である。
【００３４】
図１〜図８において、道路面より低い位置に構築される地下建造物の建造物出入口１１の床面１２には凹所１３が形成され、この凹所１３には倒伏時のフロートゲート１４が収容されると共に、水位の上昇につれて起立し起立時に建造物出入口１１を遮断して流入水の侵入を防ぐフロートゲート１４が回動起伏自在に取付けられている。
【００３５】
凹所１３の深さは、凹所１３に収容された倒伏時のフロートゲート１４の表面が床面１２と同一高さになる深さである。この凹所１３の底面には衝撃緩衝ゴム板１３ａが取付けられていて、倒伏時のフロートゲート１４の凹所１３底面への衝撃が緩衝されている。
【００３６】
フロートゲート１４は例えば一定の厚みを有する横長の長方形の箱型形状からなる。フロートゲート１４は一定の厚みを有していて、倒伏時にはフロートゲート１４の表面は建造物出入口１１の往来用の床面として利用される。
【００３７】
フロートゲート１４は、比重が水よりも小さくて浮力によって水に浮く軽さからなり、建造物出入口１１に流入する流入水による浮力によって起立して建造物出入口１１を自動的に遮断する構造になっている。
【００３８】
フロートゲート１４はその材質に軽量で強度を有する例えばＦＲＰ（繊維強化プラスチック）材が使用されている。フロートゲート１４の材質としてＦＲＰ材を使用する場合には比重が小さいので、鋼製ゲートのように内部に空洞のフロート室を形成する必要がなく、中実構造にすることができ、シンプルな構造設計にすることができる。
【００３９】
フロートゲート１４はその厚みを有する下面が凹所１３の建造物出入口１１側の凹所底面後縁１３ｂに固定されている支承１５に連結されている。フロートゲート１４は支承１５を介して凹所底面後縁１３ｂに対して回動起伏自在に連結されている。フロートゲート１４は建造物出入口１１に向けて起立するように下面が支承１５に連結されている。
【００４０】
建造物出入口１１の両側壁面にはフロートゲート１４の両側端が摺動する止水ゴム摺動板１６が取付けられている。フロートゲート１４の起立時に、フロートゲート１４の両側端が止水ゴム摺動板１６と摺動して密接することによって、フロートゲート１４の両側端と止水ゴム摺動板１６との間から流入水が侵入するのを防ぐことができる。
【００４１】
止水ゴム摺動板１６が取付けられた建造物出入口１１の左右の側壁面内部には空洞のフロート室１７が設けられている。また、止水ゴム摺動板１６が取付けられた側壁面の所定水位ｈの高さにはフロート室１７に連通する通水孔１８が形成されている。水位が所定水位ｈの高さ以上になると、この通水孔１８からフロート室１７内に雨水等の一部が流入するようになっている。
【００４２】
通水孔１８からの流入水の水位の変動に追従して昇降するフロート１９がフロート室１７内に配置されている。フロート１９は比重が水よりも小さくで、通水孔１８からの流入水によって浮き上がるようになっている。
【００４３】
フロート室１７内のフロート１９の昇降に連動して、所定水位ｈ以下でフロートゲート１４を係止し所定水位ｈ以上で係止解除するロック装置２０が設けられている。ロック装置２０はフロート１９に連動連結されている。
【００４４】
ロック装置２０は、左右のフロート室１７の外側にそれぞれ配置された作動杆２１と、起立時にフロートゲート１４の上端となる頂面の左右両端側にそれぞれ突出して取付けられた係止ピン２２とから構成されている。
【００４５】
また、ロック装置２０の作動杆２１は、先端に係止ピン２２に引っ掛かるフック２１ａが形成され、後端側の連結杆２１ｂはフロート１９に貫通して連結され、又、フック２１ａが形成された先端側は上下方向に回動自在に回転軸２１ｃに枢支されている。
【００４６】
作動杆２１は回転軸２１ｃを回転中心として上下方向に回動して、後端側の連結杆２１ｂが貫通して連結されているフロート１９が回動上昇すると先端のフック２１ａは回動下降し、逆に、後端側の連結杆２１ｂが貫通して連結されているフロート１９が回動下降すると先端のフック２１ａは回動上昇する構造になっている。
【００４７】
ロック装置２０は、所定水位ｈ以下で作動杆２１の先端のフック２１ａがフロートゲート１４の係止ピン２２に引っ掛かってフロートゲート１４を係止し、又所定水位ｈ以上で作動杆２１の先端のフック２１ａが下向きに回動してフロートゲート１４の係止ピン２２から外れることによってフロートゲート１４の係止を解除する機構になっている。
【００４８】
また、図１に図示するように、最大起立位置のフロートゲート１４に作用する水圧に耐えてフロートゲート１４を支持すると共にフロートゲート１４に作用する水圧を支承１５を介して床面１２に伝えるための支持ピン１５ａが支承１５の上部側面に突出して形成されている。
【００４９】
なお、図８に図示するように、図１に図示する支持ピン１５ａに代えて、最大起立位置のフロートゲート１４に作用する水圧に耐えてフロートゲート１４を支持すると共にフロートゲート１４に作用する水圧を床面１２に伝えるフレキシブルなワイヤーロープ２３を使用してもよい。
【００５０】
この場合には、ワイヤーロープ２３の一端は起立時にフロートゲート１４の上端となる頂面の近くに連結され、ワイヤーロープ２３の他端は凹所底面後縁１３ｂの反対側の凹所底面前縁１３ｃに連結される。また、ワイヤーロープ２３の途中には長さを調節するターンバックル２３ａが取付けられる。
【００５１】
次に、上記発明の実施の形態の構成に基づく作用について以下説明する。
図１〜図８において、雨水などが増してくると、倒伏しているフロートゲート１４には増加する水によって浮力が作用する。しかし、フロートゲート１４は係止ピン２２が作動杆２１のフック２１ａに引っ掛けられているため、上向きに回動して起立するのが阻止される。
【００５２】
水位が更に上昇して所定水位ｈ以上になると、フロート室１７には通水孔１８を通じて流入水が入りフロート室１７内の水位が上昇する。フロート室１７内の水位が上昇するとフロート１９には浮力が作用してフロート１９は上昇する。
【００５３】
上昇するフロート１９には作動杆２１の後端側が連結されているために、フロート１９の上昇に追従して、作動杆２１は回転軸２１ｃを回転中心として後端側が上向きに回動し、回転軸２１ｃを挟んで後端側の反対側になる先端のフック２１ａは逆に下向きに回動する。
【００５４】
図７（Ａ）に図示するように、フック２１ａが下向きに回動すると、係止ピン２２を引っ掛けていたフック２１ａは係止ピン２２から外れる。そして、フック２１ａが係止ピン２２より外れることによって、ロック装置２０はフロートゲート１４の係止を解除する。
【００５５】
これにより、上昇する水位による浮力によってフロートゲート１４は下面が連結された支承１５を回動中心として建造物出入口１１に向けて回動上昇し、フロートゲート１４が最大起立位置に達すると、支持ピン１５ａに当たってそれ以上の回動は阻止される。そして、最大起立位置に達したフロートゲート１４によって、流入水が建造物出入口１１に侵入するのを防ぐ。
【００５６】
この場合において、フロートゲート１４の両側端は建造物出入口１１の両側壁面に取付けられた止水ゴム摺動板１６と摺動して密接しているために、フロートゲート１４の両側端からの流入水の侵入は防がれる。
【００５７】
図１に図示するように、支持ピン１５ａが設けられている場合には、最大起立位置に達したフロートゲート１４に作用する水圧は、フロートゲート１４の下面が連結された支承１５に設けられた支持ピン１５ａを介して床面１２に伝えられることになる。
【００５８】
また、図８に図示するように、支持ピン１５ａに代えてワイヤーロープ２３が使用されている場合には、最大起立位置に達したフロートゲート１４に作用する水圧は、フロートゲート１４の上端側に一端が連結され他端が凹所底面前縁１３ｃに連結されたワイヤーロープ２３を介して床面１２に伝えられることになる。
【００５９】
また、フロートゲート１４に作用する水位が下がると、フロートゲート１４は自重によって下面前が連結された支承１５を回動中心として凹所１３の底面側に回動下降して倒伏し始め、雨水などが排水されて水位が殆どなくなると、フロートゲート１４に作用する浮力も消失して自重によって、フロートゲート１４は凹所１３の底面の衝撃緩衝ゴム板１３ａに密着して倒伏状態に戻る。
【００６０】
回動下降してフロートゲート１４が凹所１３の底面側に近づくと、作動杆２１のフック２１ａの先端に回動下降するフロートゲート１４の係止ピン２２が当たり、これを下向きに押圧する。
【００６１】
このため、図７（Ｂ）に図示するように、作動杆２１のフック２１ａ側は回転軸２１ｃを回転中心として下向きに回動して、回動したフック２１ａ内に係止ピン２２が入る。係止ピン２２がフック２１ａ内に入ると、フック２１ａは逆に上向きに回動して係止ピン２２を引っ掛けて係止する。
【００６２】
このように、フック２１ａが係止ピン２２を引っ掛けて係止することによって、ロック装置２０はフロートゲート１４を係止して、フロートゲート１４が上向きに回動するのを阻止する。
【００６３】
これにより、流入のおそれのない少量の雨水で、フロートゲートが起伏するのを防いで、建造物に出入りする者の往来を妨げることはない。
【００６４】
【発明の効果】
以上の記載より明らかなように、請求項１の発明に係る建造物出入口の流入水遮断用フローゲートのロック装置によれば、多量の雨水などによって水位が上昇して建造物内部に流入のおそれがある場合には、フロートゲートを起伏状態に係止するロック装置を自動解除させて、上昇する水位による浮力によってフロートゲートを自動的に起立させて建造物出入口を遮断させ、建造物出入口から水が流入するのを防止することができる。
このように、建造物出入口から水が流入するおれがある場合にはフロートゲートを起立させる一方で、流入のおそれのない少量の水位ではロック装置がフロートゲートを起伏状態に係止させてフロートゲートが起伏するのを防いで、建造物に出入りする者の往来を妨げることがない。
【００６８】
また、請求項２のように、建造物出入口の床面には倒伏時のフロートゲートを収容する凹所が形成され、凹所に収容された倒伏時のフロートゲートの表面は床面と同一高さになっている場合には、倒伏時のフロートゲートの表面を床面として利用でき、しかも、高さが同一であるために、段差に起因する転倒などのおそれもなく、安全に歩行することができる。
【００６９】
また、請求項３のように、フロートゲートの材質がＦＲＰ材からなる場合には、次のような効果を奏することができる。
(1) 軽量であるため、現場施工は人力によることが可能となる。つまり、重機などを必要としないので、据え付け場所の環境に左右されることなく施工することができ、据え付け工費の低減を図ることができる。
(2) 着色化、網目状、タイル状等、外観をバラエティーに富んだデザインにすることができる。つまり、周囲の環境にマッチさせることができる。通常表面に出る部分は、周囲や歩道と同じ様な、例えば、タイル、ブロック等を扉体に埋め込むことも容易にできる。
(3) 比重が小さいので、鋼製のフロートゲートのように、内部にフロート室を必要とせず、中実構造にでき、シンプルな構造設計とすることができる。
(4) 耐蝕性に優れるため、再塗装の必要がない。
(5) 型を使用して製作できるため、標準化により、製作費低減につながる。
【図面の簡単な説明】
【図１】この発明の実施の形態を示すものであって、フロートゲート起立時の概略側断面図である。
【図２】この発明の実施の形態を示すものであって、フロートゲート倒伏時の概略側断面図である。
【図３】この発明の実施の形態を示すものであって、フロートゲート倒伏時の概略平面図である。
【図４】この発明の実施の形態を示すものであって、フロートゲート起立時の概略正面図である。
【図５】この発明の実施の形態を示すものであって、フロート室の周辺の部分拡大平断面図である。
【図６】この発明の実施の形態を示すものであって、フロート室の周辺の部分拡大正断面図である。
【図７】（Ａ）はこの発明の実施の形態を示すものであって、ロック装置の係止解除時の説明図である。
（Ｂ）はこの発明の実施の形態を示すものであって、ロック装置の係止時の説明図である。
【図８】この発明の実施の形態を示すものであって、他例のフロートゲート起立時の概略側断面図である。
【符号の説明】
１１    建造物出入口
１２    床面
１３    凹所
１３ａ  衝撃緩衝ゴム板
１３ｂ  凹所底面後縁
１３ｃ  凹所底面前縁
１４    フロートゲート
１５    支承
１５ａ  支持ピン
１６    止水ゴム摺動板
１７    フロート室
１８    通水孔
１９    フロート
２０    ロック装置
２１    作動杆
２１ａ  フック
２１ｂ  連結杆
２１ｃ  回転軸
２２    係止ピン
２３    ワイヤーロープ
２３ａ  ターンバックル
【図１】
0003542537.tif 000002
【図２】
0003542537.tif 000003
【図３】
0003542537.tif 000004
【図４】
0003542537.tif 000005
【図５】
0003542537.tif 000006
【図６】
0003542537.tif 000007
【図７】
0003542537.tif 000008
【図８】
0003542537.tif 000009